(57)【特許請求の範囲】
【請求項１】
車両シートの空気圧制御装置が実行する車両シートの空気圧制御方法であって、
シートの内側に設けられた空気袋の内圧を間隔をあけて繰り返し検出する工程と、
検出値と目標値との差圧に基づき前記空気袋の内圧を補正する工程と、
車両始動からの時間経過に応じて前記内圧の検出間隔を長くする工程と、を備える
車両シートの空気圧制御方法。
【請求項２】
請求項１に記載の車両シートの空気圧制御方法において、
前記内圧の検出間隔を長くする工程は、
前記車両始動から所定時間が経過するまでの間、前記内圧の検出間隔を第１の間隔に設定する工程と、
前記所定時間の経過後、前記内圧の検出間隔を前記第１の間隔よりも長い第２の間隔に設定する工程と、を含むこと、を特徴とする車両シートの空気圧制御方法。
【請求項３】
シートの内側に設けられた空気袋の内圧を間隔をあけて繰り返し検出する内圧検出部と、
検出値と目標値との差圧に基づき前記空気袋の内圧を補正する内圧補正部と、
車両始動からの時間経過に応じて前記内圧の検出間隔を長くする検出間隔変更部と、
を備える車両シートの空気圧制御装置。
【請求項４】
請求項３に記載の車両シートの空気圧制御装置において、
前記検出間隔変更部は、
前記車両始動から所定時間が経過するまでの間、前記内圧の検出間隔を第１の間隔に設定する第１の間隔設定部と、
前記所定時間の経過後、前記内圧の検出間隔を前記第１の間隔よりも長い第２の間隔に設定する第２の間隔設定部と、を備えること、を特徴とする車両シートの空気圧制御装置。
【発明の詳細な説明】
【技術分野】
【０００１】
本発明は、車両シートの空気圧制御方法及び車両シートの空気圧制御装置に関するものである。
【背景技術】
【０００２】
従来、車両用のシート装置には、シートの内側に設けられた空気袋（ブラダ）を拡縮させることにより、そのシートのサポート形状を変更可能なものがある。即ち、このようなシート装置は、空気袋に対して空気を供給（充填）し、及びその空気袋に充填された空気を排出する吸排気装置を備えている。また、多くの場合、空気袋に対する空気の供給経路には、圧力センサが設けられている。そして、この圧力センサを用いて検出される空気袋の内圧を目標値に一致させるべく、その吸排気装置の作動を制御する構成になっている。
【０００３】
例えば、特許文献１に記載された車両シートの空気圧制御装置は、空気袋の内圧が目標値未満の所定値に到達するまで、その吸排気装置の空気ポンプが連続動作する。更に、その後、空気袋の内圧が目標値に到達するまで空気ポンプが間欠動作する。尚、このとき、内圧の検出は、その空気ポンプが停止している間に行われる。そして、これにより、より精度よく、その空気袋の内圧を制御することが可能になっている。
【先行技術文献】
【特許文献】
【０００４】
【特許文献１】特開２０１０−２３５０２１号公報
【発明の概要】
【発明が解決しようとする課題】
【０００５】
しかしながら、シートの内側に設けられた空気袋の内圧は、例えば、シートが配置された車内温度や気圧の変化、或いは空気漏れ（公差範囲内のリーク）等の要因により、その空気の充填が完了した後においても変化する。そこで、その空気袋に対する空気の充填完了後も間隔をあけて繰り返し空気袋の内圧を検出することが考えられる。そして、その検出値と目標値との差圧に基づき空気袋の内圧を補正することによって、最適なサポート形状を保持することができる。
【０００６】
ところが、空気袋の内圧検出及び補正を行う際には、その吸排気装置を構成する空気ポンプやバルブの作動音や振動等が問題となる。更に、空気袋の内圧は、その内圧を検出するために吸気バルブを開けることによっても低下する。このため、空気袋の内圧を検出する頻度は、極力少なく抑えることが望ましい。そして、作動頻度の増大は、その吸排気装置の耐久性を確保する観点においても不利であることから、この点において、なお改善の余地を残すものとなっていた。
【０００７】
本発明は、上記問題点を解決するためになされたものであって、その目的は、吸排気装置の作動頻度を抑えつつ、空気袋の内圧を好適に維持することのできる車両シートの空気圧制御方法及び車両シートの空気圧制御装置を提供することにある。
【課題を解決するための手段】
【０００８】
上記課題を解決する空気圧制御方法は、車両シートの空気圧制御装置が実行する車両シートの空気圧制御方法であって、シートの内側に設けられた空気袋の内圧を間隔をあけて繰り返し検出する工程と、検出値と目標値との差圧に基づき前記空気袋の内圧を補正する工程と、車両始動からの時間経過に応じて前記内圧の検出間隔を長くする工程と、を備えることが好ましい。
【０００９】
即ち、車両始動後は、空調装置が作動することにより車内温度に大きな変化が生じやすい。従って、このような状況においては、各空気袋の内圧を短い間隔で検出することで、速やかに、その温度変化を要因とした各空気袋の内圧変化を補正することができる。また、気圧変化や空気漏れ（公差範囲内のリーク）等が各空気袋の内圧に与える影響は、車両始動後の温度変化が当該各空気袋の内圧に与える影響よりも小さい。このため、時間の経過とともに安定する車内温度を考慮して、その内圧検出及び補正の間隔を長くしても、各空気袋の内圧を好適に維持することができる。そして、これにより、吸排気装置の作動頻度を抑えることができる。その結果、作動音や振動の発生、或いは触感の変化等、利用者の使用感覚に与える影響を低減することができる。また、検出実行に伴う各空気袋の内圧低下を抑えることができる。そして、その作動頻度の抑制により高い耐久性を確保することができる。
【００１０】
上記課題を解決する空気圧制御方法は、前記内圧の検出間隔を長くする工程は、前記車両始動から所定時間が経過するまでの間、前記内圧の検出間隔を第１の間隔に設定する工程と、前記所定時間の経過後、前記内圧の検出間隔を前記第１の間隔よりも長い第２の間隔に設定する工程と、を含むことが好ましい。
【００１１】
上記構成によれば、簡素な構成にて、車内温度に大きな変化が生じやすい車両始動後は、速やかに、その温度変化を要因とした各空気袋の内圧変化を補正することができる。そして、時間経過により車内温度が安定した後は、吸排気装置の作動頻度を抑えつつ、その各空気袋の内圧を好適に維持することができる。
【００１２】
上記課題を解決する空気圧制御装置は、シートの内側に設けられた空気袋の内圧を間隔をあけて繰り返し検出する内圧検出部と、検出値と目標値との差圧に基づき前記空気袋の内圧を補正する内圧補正部と、車両始動からの時間経過に応じて前記内圧の検出間隔を長くする検出間隔変更部と、を備えることが好ましい。
【００１３】
上記課題を解決する空気圧制御装置は、前記検出間隔変更部は、前記車両始動から所定時間が経過するまでの間、前記内圧の検出間隔を第１の間隔に設定する第１の間隔設定部と、前記所定時間の経過後、前記内圧の検出間隔を前記第１の間隔よりも長い第２の間隔に設定する第２の間隔設定部と、を備えることが好ましい。
【発明の効果】
【００１４】
本発明によれば、吸排気装置の作動頻度を抑えつつ、空気袋の内圧を好適に維持することができる。
【図面の簡単な説明】
【００１５】
【図１】内側に空気袋が設けられた車両シートの斜視図。
【図２】シート装置の概略構成図。
【図３】空気袋の内圧制御の処理手順を示すフローチャート。
【図４】空気袋の内圧維持制御の態様を示す説明図。
【図５】空気袋の内圧維持制御の処理手順を示すフローチャート。
【図６】空気袋の内圧維持制御について別例の態様を示す説明図。
【図７】空気袋の内圧維持制御について別例の態様を示すフローチャート。
【図８】空気袋の内圧維持制御について別例の態様を示すフローチャート。
【図９】空気袋の内圧維持制御について別例の態様を示す説明図。
【発明を実施するための形態】
【００１６】
以下、空気圧式のシートサポート機能を有したシート装置及びその空気圧制御の一実施形態を図面に従って説明する。
図１に示すように、車両用のシート１は、シートクッション２と、このシートクッション２の後端部に設けられたシートバック３と、を備えている。そして、そのシートバック３の上端には、ヘッドレスト４が設けられている。
【００１７】
また、本実施形態のシート１において、シートバック３は、その両サイド部３ａ，３ｂが、それぞれ、前方に向かって膨出した形状を有している。更に、シートクッション２もまた、両サイド部２ａ，２ｂが、それぞれ、上方に向かって膨出した形状を有している。そして、本実施形態のシート１は、これにより、その乗員の良好な着座姿勢を確保し及びその着座姿勢を維持することが可能になっている。
【００１８】
また、このシート１には、そのシートクッション２及びシートバック３の内側に複数の空気袋１０（１１〜１６）が設けられている。具体的には、本実施形態のシート１において、シートバック３の内側には、その背もたれ面３ｓの肩部（ショルダ）、腰部（ランバ）及び下端部（バックペルビス）、並びに両サイド部３ａ，３ｂに対応する位置に、それぞれ、独立した空気袋１１（１１ａ，１１ｂ），１２（１２ａ〜１２ｃ），１３，１４（１４ａ，１４ｂ）が設けられている。更に、シートクッション２についてもまた、その着座面２ｓにおける後端部（クッションペルビス）の内側、及び両サイド部２ａ，２ｂの内側に、それぞれ、独立した空気袋１５，１６（１６ａ，１６ｂ）が設けられている。そして、本実施形態のシート１においては、これにより、その各空気袋１０の拡縮に基づきシート１のサポート形状を変更可能なシート装置２０が形成されている。
【００１９】
詳述すると、図２に示すように、本実施形態のシート装置２０は、各空気袋１０に空気を圧送する空気ポンプ２１を備えている。また、各空気袋１０と空気ポンプ２１との間を接続する流路Ｌには、逆止弁２２、吸気バルブ２３、排気バルブ２４、及び圧力センサ２５が設けられている。具体的には、本実施形態のシート装置２０において、排気バルブ２４及び圧力センサ２５は、流路Ｌ内における吸気バルブ２３と逆止弁２２との間の位置に設けられている。そして、本実施形態のシート装置２０においては、これにより、その各空気袋１０に対して空気を供給（充填）し、及びその各空気袋１０に充填された空気を排出するための吸排気装置３０が形成されている。
【００２０】
さらに詳述すると、本実施形態のシート装置２０において、空気ポンプ２１、吸気バルブ２３及び排気バルブ２４は、それぞれ、制御装置３１によって、その作動が制御されている。また、この制御装置３１は、圧力センサ２５の出力信号に基づき各空気袋１０の内圧Ｐを検出する。更に、この制御装置３１は、各空気袋１０の内圧Ｐについて、その目標値（内圧目標値Ｐ０）を記憶領域３１ａ内に保持する。尚、本実施形態のシート装置２０において、各空気袋１０の内圧目標値Ｐ０は、その乗員が、シート１に設けられた操作スイッチ（図示略）を用いて最適なサポート形状を設定することにより更新される（サポート形状調整制御）。そして、本実施形態の制御装置３１は、その検出される各空気袋１０の内圧Ｐを内圧目標値Ｐ０に一致させるべく、吸排気装置３０を構成する空気ポンプ２１、吸気バルブ２３及び排気バルブ２４の作動を制御する構成になっている。
【００２１】
即ち、本実施形態の制御装置３１は、各空気袋１０の内圧Ｐを検出する際には、排気バルブ２４を閉塞した状態で、その内圧検出の対象となる空気袋１０に連通する支線Ｌ´の吸気バルブ２３を開放する。そして、本実施形態のシート装置２０は、これにより、その空気袋１０の内圧Ｐと圧力センサ２５が設けられた流路Ｌの空気圧とが等しくなるように構成されている。
【００２２】
尚、本実施形態のシート装置２０において、この圧力センサ２５を用いた内圧検出は、吸気バルブ２３が一定時間開放された状態で行われる。そして、本実施形態の制御装置３１は、この間に入力される圧力センサ２５の出力信号を平均化処理することで、車両走行に伴う外乱の影響を低減し、精度よく、その各空気袋１０の内圧Ｐを検出することが可能になっている。
【００２３】
また、本実施形態の制御装置３１は、各空気袋１０に空気を充填する際には、対象とする空気袋１０の支線Ｌ´に設けられた吸気バルブ２３を開放するとともに排気バルブ２４を閉塞した状態で、その空気ポンプ２１を駆動する。そして、空気袋１０から空気を排出する際には、その吸気バルブ２３及び排気バルブ２４を開放する構成になっている。
【００２４】
図３のフローチャートに示すように、本実施形態の制御装置３１は、車両始動時（ステップ１０１：ＹＥＳ）、その記憶領域３１ａから各空気袋１０の内圧目標値Ｐ０を読み出すと（ステップ１０２）、これらの内圧目標値Ｐ０に基づいて、各空気袋１０を展開すべく、その吸排気装置３０の作動を制御する（展開制御、ステップ１０３）。
【００２５】
即ち、本実施形態のシート装置２０は、車両停止後（ＩＧオフ）、全ての乗員が降車した状態となることにより、その各空気袋１０内の空気が排出される構成になっている。また、本実施形態のシート装置２０において、制御装置３１には、その車両の始動を示す信号としてイグニッション信号（ＩＧ信号）Ｓｉｇが入力される（図２参照）。更に、本実施形態の制御装置３１は、それぞれ独立に設けられた空気袋１０毎に、その内圧目標値Ｐ０を保持する。そして、本実施形態の制御装置３１は、車両始動後（ＩＧオン）、検出される各空気袋１０の内圧Ｐが、それぞれ、その内圧目標値Ｐ０に一致した状態となるまで、これら各空気袋１０に空気を充填する構成になっている。
【００２６】
また、本実施形態のシート装置２０において、制御装置３１は、その車両始動後の展開制御により各空気袋１０に空気を充填した後は、これら各空気袋１０の内圧Ｐを維持すべく、その吸排気装置３０の作動を制御する（内圧維持制御、ステップ１０４）。そして、本実施形態のシート装置２０は、これにより、そのシート１の内側で展開した各空気袋１０が形成する最適なサポート形状を安定的に保持することが可能な構成になっている。
【００２７】
詳述すると、図４に示すように、本実施形態の制御装置３１は、各空気袋１０の内圧Ｐを間隔であけて繰り返し検出することにより、当該各空気袋１０の内圧維持制御（図３参照、ステップ１０４）を実行する。
【００２８】
具体的には、本実施形態の制御装置３１は、車両始動（ＩＧオン）から所定時間Ｔ０（例えば、１５分程度）が経過するまでの間、予め設定された第１の間隔ｔ１（例えば、５分程度）で各空気袋１０の内圧Ｐを検出する。また、制御装置３１は、車両始動から所定時間Ｔ０が経過した後は、上記第１の間隔ｔ１よりも長い第２の間隔ｔ２（例えば、６０分程度）で各空気袋１０の内圧Ｐを検出する。そして、本実施形態の制御装置３１は、これらの各内圧検出タイミングにおいて、その内圧Ｐの検出値が内圧目標値Ｐ０から乖離した状態にある場合には、当該各空気袋１０の内圧Ｐを補正すべく、その吸排気装置３０の作動を制御する構成になっている。
【００２９】
即ち、車両始動後は、空調装置の作動によって、車内温度が変化しやすい状態にある。例えば、気温の低い冬場には、暖房によって、急速に車内が暖められる。また、気温の高い夏場には、冷房によって、急速に車内が冷やされる。そして、各空気袋１０の内圧Ｐは、当該各空気袋１０が設けられたシート１の雰囲気温度、つまりは、車内温度の変化に大きな影響を受けやすい傾向がある。
【００３０】
この点を踏まえ、本実施形態の制御装置３１は、車内温度に大きな変化が生じやすい車両始動から所定時間Ｔ０が経過するまでの間（Ｔ＜Ｔ０）については、各空気袋１０の内圧Ｐを検出する間隔（検出間隔ｔｘ）を、比較的短い第１の間隔ｔ１に設定する（ｔｘ＝ｔ１）。また、この制御装置３１は、車内温度が安定する車両始動から所定時間Ｔ０の経過後（Ｔ≧Ｔ０）については、その内圧Ｐの検出間隔ｔｘを、より長い第２の間隔ｔ２に設定する（ｔｘ＝ｔ２）。そして、本実施形態の制御装置３１は、このように、その車両始動からの時間経過に応じて内圧Ｐの検出間隔ｔｘを長くすることで、吸排気装置３０の作動頻度を抑えつつ、各空気袋１０の内圧Ｐを好適に維持することが可能になっている。
【００３１】
次に、本実施形態の制御装置３１が実行する空気袋１０の内圧維持制御について、その処理手順を説明する。
図５のフローチャートに示すように、本実施形態の制御装置３１は、先ず、現在、各空気袋１０の内圧検出タイミング間にあることを示す待機フラグがセットされているか否かを判定する（ステップ２０１）。そして、待機フラグがセットされていない場合（ステップ２０１：ＮＯ）には、当該待機フラグをセットし、及びその内圧検出の実行タイミングを計る間隔計時用のタイマをセットする（ｔ＝０、ステップ２０２）。
【００３２】
次に、制御装置３１は、車両始動後の経過時間Ｔを取得し（ステップ２０３）、その経過時間Ｔを予め設定された所定時間Ｔ０と比較する（ステップ２０４）。そして、所定時間Ｔ０の経過前である場合（Ｔ＜Ｔ０、ステップ２０４：ＹＥＳ）には、その内圧Ｐの検出間隔ｔｘを第１の間隔ｔ１に設定し（ｔｘ＝ｔ１、ステップ２０５）、所定時間Ｔ０の経過後である場合（Ｔ≧Ｔ０、ステップ２０４：ＮＯ）には、その検出間隔ｔｘを第２の間隔ｔ２に設定する（ｔｘ＝ｔ２、ステップ２０６）。
【００３３】
尚、本実施形態の制御装置３１は、その内部に、車両始動後の経過時間Ｔを計測する専用のタイマを備えている。そして、上記ステップ２０１において、既に待機フラグがセットされている場合（ステップ２０１：ＹＥＳ）には、上記ステップ２０２〜ステップ２０６の処理を実行しない。
【００３４】
次に、本実施形態の制御装置３１は、上記ステップ２０２において待機フラグとともにセットされたタイマの計測値、即ち前回の内圧検出タイミングからの経過時間ｔを取得し（ステップ２０７）、その経過時間ｔが、上記ステップ２０５又はステップ２０６において設定された検出間隔ｔｘに到達したか否かを判定する（ステップ２０８）。そして、その経過時間ｔが検出間隔ｔｘに到達した場合（ｔ≧ｔｘ、ステップ２０８：ＹＥＳ）には、各空気袋１０について、その内圧Ｐの検出を実行する（ステップ２０９）。
【００３５】
更に、本実施形態の制御装置３１は、上記ステップ２０９において検出された各空気袋１０の内圧Ｐについて、その検出値（Ｐ）と目標値（Ｐ０）との差圧（｜Ｐ０−Ｐ｜）が所定の閾値α以上であるか否かを判定する（ステップ２１０）。そして、その検出値と目標値との差圧が所定の閾値α以上となった空気袋１０がある場合（｜Ｐ０−Ｐ｜≧α、ステップ２１０：ＹＥＳ）には、該当する空気袋１０について、その目標値（Ｐ０）から乖離した内圧Ｐを補正すべく、吸排気装置３０の作動を実行する（内圧補正制御、ステップ２１１）。
【００３６】
即ち、本実施形態の制御装置３１は、検出された空気袋１０の内圧Ｐが、その内圧目標値Ｐ０よりも低い場合には、当該空気袋１０に空気を充填し、その内圧目標値Ｐ０よりも高い場合には、当該空気袋１０から空気を排出する。尚、本実施形態の制御装置３１は、そのシート１に設けられた各空気袋１０（１１〜１６）について、それぞれ、一つずつ、順次、その内圧検出及び内圧補正制御を実行する。また、本実施形態の制御装置３１は、上記ステップ２１０において、その内圧Ｐの検出値と目標値との差圧が所定の閾値αに満たない空気袋１０（｜Ｐ０−Ｐ｜＜α、ステップ２１０：ＮＯ）については、上記ステップ２１１の処理を実行しない。更に、上記ステップ２０９において各空気袋１０の内圧Ｐを検出した後は、上記ステップ２１１における内圧補正制御の実行の有無に関わらず、その待機フラグをクリアする（ステップ２１２）。そして、上記ステップ２０８において、その前回の内圧検出タイミングからの経過時間ｔが、上記ステップ２０５又はステップ２０６において設定された検出間隔ｔｘに到達していない場合（ｔ＜ｔｘ、ステップ２０８：ＮＯ）には、上記ステップ２０９〜ステップ２１２の処理を実行しない構成になっている。
【００３７】
以上、本実施形態によれば、以下のような効果を得ることができる。
（１）即ち、車両始動後は、空調装置（図示略）の作動により車内温度に大きな変化が生じやすい。従って、このような状況においては、各空気袋１０の内圧Ｐを短い間隔で検出することで、速やかに、その温度変化を要因とした各空気袋１０の内圧変化を補正することができる。また、気圧変化や空気漏れ（公差範囲内のリーク）等が各空気袋１０の内圧Ｐに与える影響は、車両始動後の温度変化が当該各空気袋１０の内圧Ｐに与える影響よりも小さい。このため、時間の経過とともに安定する車内温度を考慮して、その内圧検出及び補正の間隔を長くしても、各空気袋１０の内圧Ｐを好適に維持することができる。そして、これにより、吸排気装置３０の作動頻度を抑えることができる。その結果、作動音や振動の発生、或いは触感の変化等、利用者の使用感覚に与える影響を低減することができる。また、検出実行に伴う各空気袋１０の内圧低下を抑えることができる。そして、その作動頻度の抑制により高い耐久性を確保することができる。
【００３８】
（２）車両始動から所定時間Ｔ０が経過するまでの間（Ｔ＜Ｔ０）は、各空気袋１０の内圧Ｐの検出間隔ｔｘを第１の間隔ｔ１に設定し（ｔｘ＝ｔ１）、所定時間Ｔ０の経過後（Ｔ≧Ｔ０）は、その内圧Ｐの検出間隔ｔｘを第１の間隔ｔ１よりも長い第２の間隔ｔ２（ｔｘ＝ｔ２）に設定する。
【００３９】
上記構成によれば、簡素な構成にて、車内温度に大きな変化が生じやすい車両始動後は、速やかに、その温度変化を要因とした各空気袋１０の内圧変化を補正することができる。そして、時間経過により車内温度が安定した後は、吸排気装置３０の作動頻度を抑えつつ、その各空気袋１０の内圧Ｐを好適に維持することができる。
【００４０】
なお、上記実施形態は以下のように変更してもよい。
・シート１の内側に設けられる各空気袋１０の数、及び配置は任意に変更してもよい。そして、空気ポンプ２１、吸気バルブ２３及び排気バルブ２４の数及び配置、或いは逆止弁２２の有無等、吸排気装置３０の構成についてもまた、任意に変更してもよい。
【００４１】
・上記実施形態では、車両始動から所定時間Ｔ０が経過する前後で、その各空気袋１０の内圧Ｐの検出間隔ｔｘを切り替えることとした（ｔｘ＝ｔ１又はｔｘ＝ｔ２）。しかし、これに限らず、例えば、図６に示すように、各空気袋１０の内圧検出（及び補正）を実行する毎に、その検出間隔ｔｘを長くする構成としてもよい（ｔｘ＝ｔａ＜ｔｂ＜ｔｃ＜ｔｄ…）。このような構成としても、吸排気装置３０の作動頻度を抑えつつ、その各空気袋１０の内圧Ｐを好適に維持することができる。
【００４２】
・また、各空気袋１０の内圧検出について、その検出間隔ｔｘの切り替えを行う車両始動からの所定時間Ｔ０は、必ずしも予め定められた規定値ではなく、車両始動後における車内温度の変化に基づき設定される値であってもよい。そして、その車両始動から所定時間Ｔ０の経過が事後的に認定される構成であってもよい。
【００４３】
例えば、図７のフローチャートに示すように、制御装置３１は、車内温度ＴｍｐＡを検出するとともに（ステップ３０１）、その前回の演算周期において検出された車内温度ＴｍｐＡの前回値（車内温度前回値ＴｍｐＢ）を記憶領域３１ａから読み出す（ステップ３０２）。次に、制御装置３１は、その車内温度ＴｍｐＡと車内温度前回値ＴｍｐＢとの差分（絶対値）をとることで車内温度変化量βを演算し（β＝｜ＴｍｐＢ−ＴｍｐＡ｜、ステップ３０３）、この車内温度変化量βが所定の閾値β０以下であるか否かを判定する（ステップ３０４）。そして、車内温度変化量βが所定の閾値β０以下である場合（β≦β０、ステップ３０４：ＹＥＳ）に、車両始動から所定時間Ｔ０を経過したものと認定する（所定時間経過認定、ステップ３０５）。
【００４４】
尚、上記ステップ３０４において、車内温度変化量βが所定の閾値β０よりも大きい場合（β＞β０、ステップ３０４：ＮＯ）には、上記ステップ３０５を実行しない。そして、上記ステップ３０１において検出された車内温度ＴｍｐＡ（今回値）により車内温度前回値ＴｍｐＢを更新する構成とすればよい（ＴｍｐＢ＝ＴｍｐＡ、ステップ３０６）。このような構成を採用することで、より好適に、吸排気装置３０の作動頻度を抑えつつ、その各空気袋１０の内圧Ｐを維持することができる。
【００４５】
・更に、図８のフローチャートに示すように、車内温度ＴｍｐＡ及び車外温度ＴｍｐＸを検出し（ステップ４０１）、これらの車内温度ＴｍｐＡ及び車外温度ＴｍｐＸ、並びに空調装置の作動状況（及び性能）に基づいて、車内温度ＴｍｐＡが安定（例えば、β≦β０）するまでの所要時間Ｔｓを推定する（車内温度安定化時間推定、ステップ４０２）。尚、車内温度ＴｍｐＡが安定するまでの所要時間Ｔｓの推定方法については、例えば、車外温度ＴｍｐＸを用いない等、任意に変更してもよい。そして、その推定された所要時間Ｔｓを上記所定時間Ｔ０とする構成としてもよい（Ｔ０＝Ｔｓ、ステップ４０３）。このような構成を採用しても、より好適に、吸排気装置３０の作動頻度を抑えつつ、その各空気袋１０の内圧Ｐを維持することができる。
【００４６】
・また、図９に示すように、車内温度ＴｍｐＡ（今回値）と車内温度前回値ＴｍｐＢとの差分（絶対値）をとることにより車内温度変化量βを演算する（図７参照、ステップ３０３）。そして、この車内温度変化量βに基づいて、各空気袋１０の内圧Ｐの検出間隔ｔｘを設定する構成としてもよい。即ち、車内温度変化量βが小さいほど、その検出間隔ｔｘを長くする。このような構成を採用しても、より好適に、吸排気装置３０の作動頻度を抑えつつ、その各空気袋１０の内圧Ｐを維持することができる。
【００４７】
・上記実施形態及び別例では、制御装置３１が吸排気装置３０の作動を制御することにより、その内圧検出部、内圧補正部、検出間隔変更部、第１の間隔設定部、第２の間隔設定部、車内温度検出部、所定時間経過認定部、車内温度安定化時間推定部、及び第２の検出間隔変更部として機能することとした。しかし、これに限らず、これらの各機能制御部が複数の制御装置により構成されるものであってもよい。
【００４８】
次に、以上の実施形態から把握することのできる技術的思想を効果とともに記載する。
（イ）車内温度を検出する工程と、前記車内温度が安定した場合に前記所定時間が経過したものと認定する工程と、を特徴とする車両シートの空気圧制御方法。
【００４９】
（ロ）車両始動後、車内温度が安定するまでの所要時間を推定する工程と、推定された前記所要時間を前記所定時間に設定する工程と、を備えること、を特徴とする車両シートの空気圧制御方法。
【００５０】
（ハ）車内温度を検出する工程と、車内温度の変化量が小さいほど前記内圧の検出間隔を長くする工程を備えること、を特徴とする車両シートの空気圧制御方法。
上記各構成によれば、より好適に、吸排気装置の作動頻度を抑えつつ、その各空気袋の内圧を維持することができる。
【００５１】
（ニ）車内温度を検出する車内温度検出部と、前記車内温度が安定した場合に前記所定時間が経過したものと認定する所定時間経過認定部と、を特徴とする車両シートの空気圧制御装置。
【００５２】
（ホ）車両始動後、車内温度が安定するまでの所要時間を推定する車内温度安定化時間推定部と、推定された前記所要時間を前記所定時間に設定する所定時間設定部と、を備えること、を特徴とする車両シートの空気圧制御装置。
【００５３】
（ヘ）車内温度を検出する車内温度検出部と、車内温度の変化量が小さいほど前記内圧の検出間隔を長くする第２の検出間隔変更部を備えること、を特徴とする車両シートの空気圧制御装置。
【符号の説明】
【００５４】
１…シート、２…シートクッション、２ａ，２ｂ…サイド部、２ｓ…着座面、３…シートバック、３ａ，３ｂ…サイド部、３ｓ…背もたれ面、４…ヘッドレスト、１０（１１（１１ａ，１１ｂ），１２（１２ａ〜１２ｃ），１３，１４（１４ａ，１４ｂ），１５，１６（１６ａ，１６ｂ））…空気袋、２０…シート装置、２１…空気ポンプ、２２…逆止弁、２３…吸気バルブ、２４…排気バルブ、２５…圧力センサ、３０…吸排気装置、３１…制御装置、３１ａ…記憶領域、Ｌ…流路、Ｌ´…支線、Ｐ…内圧、Ｐ０…内圧目標値、Ｓｉｇ…イグニッション信号、Ｔ…経過時間、Ｔ０…所定時間、ｔ…経過時間、ｔｘ…検出間隔、ｔ１…第１の間隔、ｔ２…第２の間隔、α…閾値、β…車内温度変化量、β０…閾値、Ｔｓ…所要時間、ＴｍｐＡ…車内温度、ＴｍｐＢ…車内温度前回値、ＴｍｐＸ…車外温度。
【図１】
0006374429.tif 000002
【図２】
0006374429.tif 000003
【図３】
0006374429.tif 000004
【図４】
0006374429.tif 000005
【図５】
0006374429.tif 000006
【図６】
0006374429.tif 000007
【図７】
0006374429.tif 000008
【図８】
0006374429.tif 000009
【図９】
0006374429.tif 000010